(57)【要約】【課題】音声入力により操作する場合にセキュリティを高めつつ、他者に対して快適な環境を提供することが可能な画像形成装置を提供する。【解決手段】画像形成装置は、ユーザに対して所定の機能の設定のためのガイダンス情報を出力するガイダンス情報出力手段と、ガイダンス情報に従ってユーザからの音声入力を受け付ける音声受付手段と、音声受付手段で受け付けた音声入力に従って所定の機能の設定処理を実行する設定手段と、ガイダンス情報に基づいてユーザからの音声をマスクするためのマスキング信号を出力するマスキング信号出力手段とを備える。【選択図】図５
2020187169.tif 000002
【特許請求の範囲】
【請求項１】
ユーザに対して所定の機能の設定のためのガイダンス情報を出力するガイダンス情報出力手段と、
前記ガイダンス情報に従って前記ユーザからの音声入力を受け付ける音声受付手段と、
前記音声受付手段で受け付けた前記音声入力に従って前記所定の機能の設定処理を実行する設定手段と、
前記ガイダンス情報に基づいて前記ユーザからの音声をマスクするためのマスキング信号を出力するマスキング信号出力手段とを備える、画像形成装置。
【請求項２】
前記所定の機能の設定は、機密性の高い情報の設定項目と、機密性の低い情報の設定項目とを含み、
前記マスキング信号出力手段は、
前記ガイダンス情報が前記機密性の高い情報の設定項目の入力を促す場合には、前記ユーザからの音声をマスクするためのマスキング信号を出力し、
前記ガイダンス情報が前記機密性の低い情報の設定項目の入力を促す場合には、前記ユーザからの音声をマスクするためのマスキング信号を出力しない、請求項１記載の画像形成装置。
【請求項３】
前記所定の機能の設定は、複数の前記機密性の高い情報の設定項目と、複数の前記機密性の低い情報の設定項目とを含み、
前記ガイダンス情報出力手段は、前記複数の前記機密性の高い情報の設定項目の入力を促す情報が連続して出力されるように前記ガイダンス情報を出力する、請求項２記載の画像形成装置。
【請求項４】
前記ユーザ以外の他者が存在するか否かを判断する他者検知手段をさらに備え、
前記マスキング信号出力手段は、
前記他者検知手段で前記他者が存在すると判断した場合に前記ガイダンス情報に基づいて前記ユーザからの音声をマスクするためのマスキング信号を出力し、
前記他者検知手段で前記他者が存在しないと判断した場合には、前記ユーザからの音声をマスクするためのマスキング信号を出力しない、請求項１記載の画像形成装置。
【請求項５】
前記設定手段は、
前記所定の機能の設定として複数の設定項目の設定処理を順次実行し、
前記複数の設定項目の設定処理のそれぞれの有効性を判断し、
前記複数の設定項目の設定処理のうちの少なくとも１つの設定処理が有効でないと判断した場合には、前記ガイダンス情報出力手段に通知し、
前記ガイダンス情報出力手段は、当該有効でない設定項目に関するガイダンス情報を出力する、請求項１記載の画像形成装置。
【請求項６】
前記音声受付手段で受け付けた音声入力を認識して前記設定手段に出力する音声認識手段をさらに備え、
前記設定手段は、
前記音声認識手段で認識された音声入力情報が機密性の高い情報であるか否かを判断し、
前記音声入力情報が前記機密性の高い情報であると判断した場合には、前記マスキング信号出力手段に通知し、
前記マスキング信号出力手段は、前記ユーザからの音声をマスクするための前記マスキング信号を出力する、請求項１記載の画像形成装置。
【請求項７】
ユーザに対して所定の機能の設定のためのガイダンス情報を出力するステップと、
前記ガイダンス情報に従って前記ユーザからの音声入力を受け付けるステップと、
受け付けた前記音声入力に従って前記所定の機能の設定処理を実行するステップと、
前記ガイダンス情報に基づいて前記ユーザからの音声をマスクするためのマスキング信号を出力するステップとを備える、画像形成装置の制御方法。
【発明の詳細な説明】
【技術分野】
【０００１】
本開示は、画像形成装置に関し、音声入力により操作する画像形成装置に関する。
【背景技術】
【０００２】
ＭＦＰ（ＭＦＰ：Multi-Functional Peripheral）に対して音声入力による操作の要求が高まっている。
【０００３】
クラウドに接続する際には、クラウドと紐付けられたアカウントでログインする必要がある。音声入力による操作でログインする場合には、パスワードを音声入力する必要が発生する。
【０００４】
したがって、パスワードを音声入力する際には他人にパスワードを聞かれる可能性が高くなり、パスワードが漏洩する可能性がある。すなわち、セキュリティ上問題となる。
【０００５】
この点で、特開２００６−２１５２０６号公報では、他者に対してユーザが発生した音声をマスクするためのマスキング信号を出力する方式が開示されている。
【先行技術文献】
【特許文献】
【０００６】
【特許文献１】特開２００６−２１５２０６号公報
【発明の概要】
【発明が解決しようとする課題】
【０００７】
しかしながら、上記文献では音声入力の開始から音声入力の終了までの間、マスキング信号を継続的に出力する場合が示されている。すなわち、ユーザのセキュリティに関する内容以外の音声入力に対してもマスキング信号を出力する。
【０００８】
したがって、ＭＦＰの前で操作方法を口頭で確認する場合や、ＭＦＰの近くで立ち話をする場合にも同様にマスキング信号を出力するため通常の会話が困難になる可能性があり、近くにいる他者が不快に感じる可能性がある。
【０００９】
本開示は上述のような背景に鑑みてなされたものであって、音声入力により操作する場合にセキュリティを高めつつ、他者に対して快適な環境を提供することが可能な画像形成装置および画像形成装置の制御方法に関する。
【課題を解決するための手段】
【００１０】
ある局面に従う画像形成装置は、ユーザに対して所定の機能の設定のためのガイダンス情報を出力するガイダンス情報出力手段と、ガイダンス情報に従ってユーザからの音声入力を受け付ける音声受付手段と、音声受付手段で受け付けた音声入力に従って所定の機能の設定処理を実行する設定手段と、ガイダンス情報に基づいてユーザからの音声をマスクするためのマスキング信号を出力するマスキング信号出力手段とを備える。
【００１１】
好ましくは、所定の機能の設定は、機密性の高い情報の設定項目と、機密性の低い情報の設定項目とを含む。マスキング信号出力手段は、ガイダンス情報が機密性の高い情報の設定項目の入力を促す場合には、ユーザからの音声をマスクするためのマスキング信号を出力し、ガイダンス情報が機密性の低い情報の設定項目の入力を促す場合には、ユーザからの音声をマスクするためのマスキング信号を出力しない。
【００１２】
好ましくは、所定の機能の設定は、複数の機密性の高い情報の設定項目と、複数の機密性の低い情報の設定項目とを含む。ガイダンス情報出力手段は、複数の機密性の高い情報の設定項目の入力を促す情報が連続して出力されるようにガイダンス情報を出力する。
【００１３】
好ましくは、ユーザ以外の他者が存在するか否かを判断する他者検知手段をさらに備える。マスキング信号出力手段は、他者検知手段で他者が存在すると判断した場合にガイダンス情報に基づいてユーザからの音声をマスクするためのマスキング信号を出力し、他者検知手段で他者が存在しないと判断した場合には、ユーザからの音声をマスクするためのマスキング信号を出力しない。
【００１４】
好ましくは、設定手段は、所定の機能の設定として複数の設定項目の設定処理を順次実行し、複数の設定項目の設定処理のそれぞれの有効性を判断し、複数の設定項目の設定処理のうちの少なくとも１つの設定処理が有効でないと判断した場合には、ガイダンス情報出力手段に通知し、ガイダンス情報出力手段は、当該有効でない設定項目に関するガイダンス情報を出力する。
【００１５】
好ましくは、音声受付手段で受け付けた音声入力を認識して設定手段に出力する音声認識手段をさらに備え、設定手段は、音声認識手段で認識された音声入力情報が機密性の高い情報であるか否かを判断し、音声入力情報が機密性の高い情報であると判断した場合には、マスキング信号出力手段に通知し、マスキング信号出力手段は、ユーザからの音声をマスクするためのマスキング信号を出力する。
【００１６】
本発明のある局面に従う画像形成装置の制御方法であって、ユーザに対して所定の機能の設定のためのガイダンス情報を出力するステップと、ガイダンス情報に従ってユーザからの音声入力を受け付けるステップと、受け付けた音声入力に従って所定の機能の設定処理を実行するステップと、ガイダンス情報に基づいてユーザからの音声をマスクするためのマスキング信号を出力するステップとを備える。
【００１７】
この発明の上記および他の目的、特徴、局面および利点は、添付の図面と関連して理解されるこの発明に関する次の詳細な説明から明らかとなるであろう。
【図面の簡単な説明】
【００１８】
【図１】画像形成装置１の外観を説明する図である。
【図２】画像形成装置１の構成を説明する図である。
【図３】画像形成装置１の主要なハードウェア構成を示すブロック図である。
【図４】画像形成装置１の操作パネル１０５を説明する図である。
【図５】実施形態１に従う制御装置１０１の機能ブロックを説明する図である。
【図６】実施形態１に基づく所定の機能の設定処理の概念図である。
【図７】実施形態１に基づく所定の機能の設定処理を実行するための設定テーブルを説明する図である。
【図８】実施形態１に従う画像形成装置１の所定の機能の設定処理の流れを説明する概念図である。
【図９】実施形態１に従う画像形成装置１の所定の機能の設定処理のフローを説明するフロー図である。
【図１０】実施形態２に従う画像形成装置１の所定の機能の設定処理の流れを説明する概念図である。
【図１１】実施形態２に基づく所定の機能の設定処理を実行するための設定テーブル３０２を説明する図である。
【図１２】実施形態２に従う画像形成装置１の所定の機能の設定処理のフローを説明するフロー図である。
【図１３】実施形態３に従う制御装置１０１＃の機能ブロックを説明する図である。
【図１４】実施形態３に従う画像形成装置１の所定の機能の設定処理の流れを説明する概念図である。
【図１５】実施形態３に従う画像形成装置１の所定の機能の設定処理のフローを説明するフロー図である。
【図１６】実施形態４に基づく所定の機能の設定処理を実行するための設定テーブル３０４を説明する図である。
【図１７】実施形態４に従う禁止条件を示すテーブルを説明する図である。
【図１８】実施形態４に従う画像形成装置１の所定の機能の設定処理の流れを説明する概念図である。
【図１９】実施形態４に従う画像形成装置１の所定の機能の設定処理のフローを説明するフロー図である。
【図２０】実施形態４に従うテーブルの更新を説明するサブルーチンのフロー図である。
【図２１】実施形態５に従う画像形成装置１の所定の機能の設定処理の流れを説明する概念図である。
【図２２】実施形態５に従う画像形成装置１の所定の機能の設定処理のフローを説明するフロー図である。
【図２３】実施形態５に従う画像形成装置１の音声入力情報の解析処理のサブルーチンのフロー図である。
【発明を実施するための形態】
【００１９】
以下、図面を参照しつつ、本開示に係る技術思想の実施の形態について説明する。以下の説明では、同一の部品には同一の符号を付してある。それらの名称および機能も同じである。したがって、それらについての詳細な説明は繰り返さない。
【００２０】
以下の実施形態では、画像形成装置としては、たとえばＭＦＰ、プリンター、複写機、またはファクシミリなどが挙げられる。
【００２１】
＜実施形態１＞
［１．画像形成装置１の構成］
図１は、画像形成装置１の外観を説明する図である。
【００２２】
図１を参照して、画像形成装置１は、カラープリンターとしての画像形成装置１が示されている。以下では、カラープリンターとしての画像形成装置１について説明するが、画像形成装置１は、カラープリンターに限定されない。たとえば、画像形成装置１は、モノクロプリンターであってもよいし、モノクロプリンターまたはカラープリンターとファクシミリとの複合機（所謂ＭＦＰ（Multi  Functional  Peripheral））であってもよい。
【００２３】
画像形成装置１は、画像読取部としてのスキャナー２０と、プリンター２５とを備える。スキャナー２０には、ＡＤＦ（Auto  Document  Feeder）２４が設けられている。
【００２４】
画像形成装置１は、操作パネル１０５を備える。本実施形態１においては、操作パネル１０５における所定の機能の設定のための操作として音声入力により操作する場合について説明する。
【００２５】
図２は、画像形成装置１の構成を説明する図である。
図２を参照して、画像形成装置１の上部には、スキャナー２０が設けられている。スキャナー２０は、カバー２１と、用紙台２２と、トレー２３と、ＡＤＦ２４とを含む。カバー２１の一端は、用紙台２２に固定されており、カバー２１は、当該一端を支点として開閉可能に構成されている。操作者は、カバー２１を開くことで、原稿を用紙台２２にセットすることができる。画像形成装置１は、原稿が用紙台２２にセットされた状態でスキャン指示を受け付けると、用紙台２２にセットされた原稿のスキャンを開始する。また、画像形成装置１は、原稿がトレー２３にセットされた状態でスキャン指示を受け付けると、ＡＤＦ２４によって１枚ずつ自動的に原稿を読み取る。
【００２６】
プリンター２５は、画像形成部９０Ｙ，９０Ｍ，９０Ｃ，９０Ｋと、ＩＤＣ（Image  Density  Control）センサー１９と、転写ベルト３０と、一次転写ローラー３１と、転写駆動機３２と、二次転写ローラー３３と、カセット３７Ａ〜３７Ｃと、従動ローラー３８と、駆動ローラー３９と、タイミングローラー４０と、クリーニングユニット４３と、定着器７０とを備える。
【００２７】
画像形成部９０Ｙ，９０Ｍ，９０Ｃ，９０Ｋは、転写ベルト３０に沿って順に並べられている。画像形成部９０Ｙは、トナーボトル１５Ｙからトナーの供給を受けてイエロー（Ｙ）のトナー像を形成する。画像形成部９０Ｍは、トナーボトル１５Ｍからトナーの供給を受けてマゼンタ（Ｍ）のトナー像を形成する。画像形成部９０Ｃは、トナーボトル１５Ｃからトナーの供給を受けてシアン（Ｃ）のトナー像を形成する。画像形成部９０Ｋは、トナーボトル１５Ｋからトナーの供給を受けてブラック（ＢＫ）のトナー像を形成する。
【００２８】
画像形成部９０Ｙ，９０Ｍ，９０Ｃ，９０Ｋは、それぞれ、転写ベルト３０に沿って転写ベルト３０の回転方向の順に配置されている。画像形成部９０Ｙ，９０Ｍ，９０Ｃ，９０Ｋはそれぞれ、回転可能に構成されている感光体１０と、帯電装置１１と、露光装置１３と、現像器１４と、クリーニングユニット１７と、トナーセンサ１８とを備える。
【００２９】
画像形成部９０Ｙ，９０Ｍ，９０Ｃ，９０Ｋがそれぞれ、上述したように作動した後に、転写駆動機３２の転写によって、イエロー（Ｙ）のトナー像、マゼンタ（Ｍ）のトナー像、シアン（Ｃ）のトナー像、およびブラック（ＢＫ）のトナー像が順に重ねられて感光体１０から転写ベルト３０に転写される。これにより、カラーのトナー像が転写ベルト３０上に形成される。
【００３０】
ＩＤＣセンサー１９は、転写ベルト３０上に形成されるトナー像３５の濃度を検知する。典型的には、ＩＤＣセンサー１９は、反射型フォトセンサーからなる光強度センサーであり、転写ベルト３０の表面からの反射光強度を検知する。
【００３１】
転写ベルト３０は、従動ローラー３８と駆動ローラー３９とに張架されている。駆動ローラー３９はモーター（図示しない）に接続されている。当該モーターを制御することにより、駆動ローラー３９は回転する。転写ベルト３０および従動ローラー３８は、駆動ローラー３９に連動して回転する。これにより、転写ベルト３０上のトナー像３５が二次転写ローラー３３に送られる。
【００３２】
カセット３７Ａ〜３７Ｃのそれぞれには、異なる大きさの用紙がセットされる。用紙は、記録媒体の一例である。用紙は、カセット３７Ａ〜３７Ｃのいずれかから１枚ずつタイミングローラー４０によって搬送経路４１に沿って二次転写ローラー３３に送られる。用紙が送り出されるタイミングに合わせて、二次転写ローラー３３に印加する転写電圧を制御する。
【００３３】
二次転写ローラー３３は、トナー像３５の帯電極性と逆極性の転写電圧を搬送中の用紙に印加する。その結果、トナー像３５は、転写ベルト３０から二次転写ローラー３３に引き付けられ、転写ベルト３０上のトナー像３５が転写される。二次転写ローラー３３への用紙の搬送タイミングは、転写ベルト３０上のトナー像３５の位置に合わせてタイミングローラー４０によって制御される。その結果、転写ベルト３０上のトナー像３５は、用紙の適切な位置に転写される。
【００３４】
定着器７０は、定着器７０を通過する用紙を加圧および加熱する。これにより、トナー像は用紙に定着する。その後、用紙は、トレー４９に排紙される。
【００３５】
クリーニングユニット４３は、転写ベルト３０から用紙へのトナー像の転写後に転写ベルト３０の表面に残留するトナーを回収する。回収されたトナーは、搬送スクリュー（図示しない）で搬送され、廃トナー容器（図示しない）に貯められる。
【００３６】
［２．ハードウェア構成］
図３は、画像形成装置１の主要なハードウェア構成を示すブロック図である。
【００３７】
図３を参照して、画像形成装置１のハードウェア構成の一例について説明する。
画像形成装置１は、スキャナー２０およびプリンター２５に加え、制御装置１０１と、ＲＯＭ（Read  Only  Memory）１０２と、ＲＡＭ（Random  Access  Memory）１０３と、ネットワークインターフェイス１０４と、操作パネル１０５と、スピーカ１０６と、マイク１０８と、記憶装置１１０とを含む。
【００３８】
制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【００３９】
制御装置１０１は、画像形成装置１の制御パラメーターを調整するためのプログラム１１２などの各種プログラムを実行することで画像形成装置１の動作を制御する。
【００４０】
制御装置１０１は、プログラム１１２の実行命令を受け付けたことに基づいて、記憶装置１１０からＲＡＭ１０３にプログラム１１２を読み出す。ＲＡＭ１０３は、ワーキングメモリとして機能し、プログラム１１２の実行に必要な各種データを一時的に格納する。
【００４１】
ネットワークインターフェイス１０４には、アンテナ（図示しない）などが接続される。画像形成装置１は、アンテナを介して、外部の通信機器との間でデータをやり取りする。外部の通信機器は、たとえば、スマートフォンなどの携帯通信端末、サーバーなどを含む。画像形成装置１は、プログラム１１２をアンテナを介してサーバーからダウンロードできるように構成されてもよい。
【００４２】
操作パネル１０５は、ディスプレイとタッチパネルとで構成されている。ディスプレイおよびタッチパネルは互いに重ねられており、画像形成装置１に対する操作をタッチ操作で受け付ける。一例として、操作パネル１０５は、各種の設定の操作などを受け付ける。
【００４３】
記憶装置１１０は、たとえば、ハードディスク、ＳＳＤ（Solid State Drive）その他の記憶装置である。記憶装置１１０は、内蔵式、外付け式のいずれであってもよい。記憶装置１１０は、本実施形態に従うプログラム１１２などを格納する。ただし、プログラム１１２の格納場所は記憶装置１１０に限定されず、制御装置１０１の記憶領域（たとえば、キャッシュなど）、ＲＯＭ１０２、ＲＡＭ１０３、外部機器（たとえば、サーバー）などに格納されていてもよい。
【００４４】
プログラム１１２は、単体のプログラムとしてではなく、任意のプログラムの一部に組み込まれて提供されてもよい。この場合、本実施形態に従う制御処理は、任意のプログラムと協働して実現される。このような一部のモジュールを含まないプログラムであっても、本実施形態に従うプログラム１１２の趣旨を逸脱するものではない。
【００４５】
さらに、プログラム１１２によって提供される機能の一部または全部は、専用のハードウェアによって実現されてもよい。さらに、少なくとも１つのサーバーがプログラム１１２の処理の一部を実行する所謂クラウドサービスのような形態で画像形成装置１が構成されてもよい。
【００４６】
スピーカ１０６は、外部に音声を出力する。本例においては、ユーザに対して所定の機能の設定のためのガイダンス情報を音声出力する。また、ユーザからの音声をマスクするためのマスキング信号を出力する。
【００４７】
マイク１０８は、ユーザからの音声の入力を受け付ける。
図４は、画像形成装置１の操作パネル１０５を説明する図である。
【００４８】
図４を参照して、操作パネル１０５は、スタートキー１３０と、ストップキー１３２と、パネルリセットキー１３４と、ログイン／ログアウトボタン１２８と、操作ディスプレイ１２０とを含む。
【００４９】
スタートキー１３０は、コピー／スキャン等の動作を開始させるために用いられる。ストップキー１３２は、コピー／スキャン動作の停止を指示するために用いられる。パネルリセットキー１３４は、設定されているモードおよびジョブを破棄するために用いられる。ログイン／ログアウトボタン１２８は、操作パネル１０５を操作する際のログイン入力あるいはログアウト入力するために用いられる。
【００５０】
また、操作ディスプレイ１２０は、各種モードの表示や設定等を実行するためにタッチパネルが取付けられている。
【００５１】
このタッチパネルによって、操作者は操作ディスプレイ１２０内の表示内容に従った各種設定を行なうことができる。また、タッチパネルにおける設定画面領域には、通常はコピー動作やスキャン動作を実行する際に行なう基本的／応用的な設定のためのボタンが配置されている。各ボタンを押下するとその詳細設定を行なうための階層画面が表示される。
【００５２】
本例においては、一例として、コピー動作を実行するための各種詳細設定領域が示されており、当該領域内において、倍率を調整するためのアイコン１４０、濃度を調整するためのアイコン１４２、画像調整のためのアイコン１４４、用紙を設定するためのアイコン１４６がそれぞれ設けられている。
【００５３】
本例においては、コピー動作を実行する場合の各種詳細設定のためのアイコンについて説明したが、スキャン動作についても同様の詳細設定領域が表示される。
【００５４】
また、左側のジョブ情報画面領域にはその時点で画像形成装置１に投入されているジョブ情報が表示される。表示は実行されるべきジョブの順序で並んでいる。特定のジョブに対して消去変更等の操作を行なう場合は、ジョブ操作ボタンを選択した後、操作対象となるジョブ番号ボタンを押下する。それらの操作によってジョブ操作画面が表示され、特定のジョブに対する操作が可能となる。
【００５５】
コピー（Copy）キー１２２、およびスキャン（Scan）キー１２４は、画像形成装置１をコピー／スキャナのいずれのモードで動作させるかを設定するための選択キーである。
【００５６】
コピーキー１２２を押下した場合、画像形成装置１はコピー機として使用可能となる。この状態ではスキャナ動作は実行することはできない。
【００５７】
また、スキャンキー１２４を押下した場合、画像形成装置１はスキャナとなる。この状態ではコピー動作を実行することはできない。
【００５８】
なお、コピーキー１２２とスキャンキー１２４は排他的動作となり、一方を選択すると自動的に他方は非選択状態となる。
【００５９】
また、操作ディスプレイ１２０には、設定確認ボタン１２６が設けられている。
設定確認ボタン１２６は、各種の設定に従うプレビュー画像を表示するためのボタンである。
【００６０】
［３．機能ブロック］
図５は、実施形態１に従う制御装置１０１の機能ブロックを説明する図である。
【００６１】
図５を参照して、制御装置１０１の機能ブロックは、記憶装置１１０のプログラム１１２を実行することにより実現される。
【００６２】
制御装置１０１は、音声受付部２００と、音声認識部２０２と、ガイダンス情報出力部２０４と、設定部２０６と、マスキング信号出力部２０８とを含む。
【００６３】
音声受付部２００は、マイク１０８からのユーザの音声入力を受け付ける。音声受付部２００は、マイク１０８からのユーザの音声入力を受け付ける際にフィルタリング処理によりマスキング信号の周波数帯域をカットしてユーザからの音声のみ音声認識部２０２に出力するようにしても良い。
【００６４】
音声認識部２０２は、音声受付部２００で受け付けた音声入力された情報を認識して設定部２０６に出力する。
【００６５】
ガイダンス情報出力部２０４は、スピーカ１０６を介してユーザに対して所定の機能の設定のためのガイダンス情報を出力する。
【００６６】
マスキング信号出力部２０８は、スピーカ１０６を介してガイダンス情報に基づいてユーザからの音声をマスクするためのマスキング信号を出力する。
【００６７】
設定部２０６は、音声認識部２０２で認識された情報に基づいて所定の機能の設定処理を実行する。また、設定部２０６は、ガイダンス情報出力部２０４に対して所定のガイダンス情報を出力するように指示する。設定部２０６は、マスキング信号出力部２０８に対してマスキング信号を出力するように指示する。
【００６８】
図６は、実施形態１に基づく所定の機能の設定処理の概念図である。
図６に示されるように、画像形成装置１は、ログイン認証として一例としてスピーカ１０６を介して「パスワードをお願いします。」とのガイダンス情報を音声出力する。
【００６９】
ユーザは、当該画像形成装置１からのガイダンス情報に従ってパスワードを発話する。その際にパスワードが漏洩しないように画像形成装置１は、マスキング信号をスピーカ１０６を介して出力する。
【００７０】
図７は、実施形態１に基づく所定の機能の設定処理を実行するための設定テーブルを説明する図である。
【００７１】
図７に示されるように、記憶装置１１０は、設定テーブル３００を予め格納している。
設定テーブル３００は、複数の項目が予め設けられており、それぞれ番号が予め割り当てられている。各項目に対応して秘匿フラグの有無が予め対応づけられている。
【００７２】
本例においては、「１」〜「６」の番号がそれぞれ割り当てられており、上から順番に番号に従ってガイダンス情報が出力される。また、ガイダンス情報に従ってユーザが音声入力した情報が設定される。
【００７３】
ガイダンス情報出力部２０４は、設定テーブルの各項目に対応してガイダンス情報をスピーカ１０６を介して出力する。音声受付部２００は、ガイダンス情報に従ってマイク１０８からのユーザの音声入力を受け付ける。音声認識部２０２は、ユーザの音声入力された情報を認識して設定部２０６に出力する。設定部２０６は、音声認識部２０２から出力された情報を設定テーブルの対応する項目に設定する。
【００７４】
「１」の番号の入力項目は、「ユーザ名」である。入力例「Ｙａｍａｄａ」が設定されている。秘匿フラグは「無し」が対応づけられている。
【００７５】
「２」の番号の入力項目は、「パスワード」である。入力例「Ａｂｃ１２３」が設定されている。秘匿フラグは「有り」が対応づけられている。
【００７６】
「３」の番号の入力項目は、「利用機能」である。入力例「スキャン、メール送信」が設定されている。秘匿フラグは「無し」が対応づけられている。
【００７７】
「４」の番号の入力項目は、「宛先」である。入力例「Ｓｕｚｕｋｉ＠ｈｏｇｅ．ｃｏｍ」が対応づけられている。秘匿フラグは「有り」が対応づけられている。
【００７８】
「５」の番号の入力項目は、「原稿カラー」である。入力例「カラー」が設定されている。秘匿フラグは「無し」が対応づけられている。
【００７９】
「６」の番号の入力項目は、「ファイル形式」である。入力例「ＰＤＦ」が対応づけられている。秘匿フラグは「無し」が対応づけられている。
【００８０】
なお、設定テーブル３００の各項目は、設定内容に基づいて動的に変更される。例えば、ファイル形式が「ＰＤＦ」の場合には、暗号化する必要はないが、ファイル形式が「暗号化ＰＤＦ」の場合には、暗号化する必要がある。したがって、その場合には、暗号化するために必要な暗号キーの入力項目が追加される。
【００８１】
実施形態１において、画像形成装置１は、秘匿フラグ「有り」に対応づけられてマスキング信号を出力する。
【００８２】
図８は、実施形態１に従う画像形成装置１の所定の機能の設定処理の流れを説明する概念図である。
【００８３】
図８に示されるように、ガイダンス情報出力部２０４は、設定テーブル３００の各項目に対応してガイダンス情報をスピーカ１０６を介して出力する。たとえば、ガイダンス情報出力部２０４は、入力項目「ユーザ名」に対応して「ユーザ名は？」をスピーカ１０６を介して出力する。
【００８４】
ユーザは、当該ガイダンス情報に従って「Ｙａｍａｄａ」を発話する。
音声受付部２００は、マイク１０８を介して音声入力「Ｙａｍａｄａ」を受け付けて、音声認識部２０２に出力する。音声認識部２０２は、音声入力「Ｙａｍａｄａ」の情報を認識して設定部２０６に出力する。設定部２０６は、入力項目「ユーザ名」に対応する入力例の欄に当該情報を設定する。なお、当該項目は、秘匿フラグは無しである。マスキング信号出力部２０８は、マスキング信号を出力しない。
【００８５】
次に、ガイダンス情報出力部２０４は、設定テーブル３００の入力項目「パスワード」に対応して「パスワードは？」をスピーカ１０６を介して出力する。
【００８６】
ユーザは、当該ガイダンス情報に従って「Ａｂｃ１２３」を発話する。
音声受付部２００は、マイク１０８を介して音声入力「Ａｂｃ１２」を受け付けて、音声認識部２０２に出力する。音声認識部２０２は、音声入力「Ａｂｃ１２３」の情報を認識して設定部２０６に出力する。設定部２０６は、入力項目「パスワード」に対応する入力例の欄に当該情報を設定する。なお、当該項目は、秘匿フラグは「有り」である。マスキング信号出力部２０８は、ユーザが発話している間においてマスキング信号を出力する。これにより、ユーザの秘匿すべき情報が他者に伝わらないようにすることが可能である。例えば、ガイダンス情報出力部２０４は、「パスワードは？」をスピーカ１０６を介して出力した後、秘匿フラグに従ってマスキング信号を出力する。ガイダンス情報出力部２０４は、音声認識部２０２が音声入力を受け付けるまで継続してマスキング信号を出力するようにしても良い。あるいは、音声認識部２０２は、音声認識部２０２が音声入力を認識するまで継続してマスキング信号を出力するようにしても良い。
【００８７】
次に、ガイダンス情報出力部２０４は、設定テーブル３００の入力項目「利用機能」に対応して「何をしますか？」をスピーカ１０６を介して出力する。
【００８８】
ユーザは、当該ガイダンス情報に従って「スキャン、メール送信」を発話する。
音声受付部２００は、マイク１０８を介して音声入力「スキャン、メール送信」を受け付けて、音声認識部２０２に出力する。音声認識部２０２は、音声入力「スキャン、メール送信」の情報を認識して設定部２０６に出力する。設定部２０６は、入力項目「利用機能」に対応する入力例の欄に当該情報を設定する。なお、当該項目は、秘匿フラグは「無し」である。マスキング信号出力部２０８は、マスキング信号を出力しない。
【００８９】
次に、ガイダンス情報出力部２０４は、設定テーブル３００の入力項目「宛先」に対応して「宛先は？」をスピーカ１０６を介して出力する。
【００９０】
ユーザは、当該ガイダンス情報に従って「Ｓｕｚｕｋｉ＠ｈｏｇｅ．ｃｏｍ」を発話する。
【００９１】
音声受付部２００は、マイク１０８を介して音声入力「Ｓｕｚｕｋｉ＠ｈｏｇｅ．ｃｏｍ」を受け付けて、音声認識部２０２に出力する。音声認識部２０２は、音声入力「Ｓｕｚｕｋｉ＠ｈｏｇｅ．ｃｏｍ」の情報を認識して設定部２０６に出力する。設定部２０６は、入力項目「宛先」に対応する入力例の欄に当該情報を設定する。なお、当該項目は、秘匿フラグは「有り」である。マスキング信号出力部２０８は、ユーザが発話している間においてマスキング信号を出力する。これにより、ユーザの秘匿すべき情報が他者に伝わらないようにすることが可能である。例えば、ガイダンス情報出力部２０４は、「宛先は？」をスピーカ１０６を介して出力した後、秘匿フラグに従ってマスキング信号を出力する。ガイダンス情報出力部２０４は、音声認識部２０２が音声入力を受け付けるまで継続してマスキング信号を出力するようにしても良い。あるいは、音声認識部２０２は、音声認識部２０２が音声入力を認識するまで継続してマスキング信号を出力するようにしても良い。
【００９２】
次に、ガイダンス情報出力部２０４は、設定テーブル３００の入力項目「原稿カラー」に対応して「カラーですか？」をスピーカ１０６を介して出力する。
【００９３】
ユーザは、当該ガイダンス情報に従って「カラー」を発話する。
音声受付部２００は、マイク１０８を介して音声入力「カラー」を受け付けて、音声認識部２０２に出力する。音声認識部２０２は、音声入力「カラー」の情報を認識して設定部２０６に出力する。設定部２０６は、入力項目「原稿カラー」に対応する入力例の欄に当該情報を設定する。なお、当該項目は、秘匿フラグは「無し」である。マスキング信号出力部２０８は、マスキング信号を出力しない。
【００９４】
次に、ガイダンス情報出力部２０４は、設定テーブル３００の入力項目「ファイル形式」に対応して「ファイル形式は？」をスピーカ１０６を介して出力する。
【００９５】
ユーザは、当該ガイダンス情報に従って「ＰＤＦ」を発話する。
音声受付部２００は、マイク１０８を介して音声入力「ＰＤＦ」を受け付けて、音声認識部２０２に出力する。音声認識部２０２は、音声入力「ＰＤＦ」の情報を認識して設定部２０６に出力する。設定部２０６は、入力項目「ファイル形式」に対応する入力例の欄に当該情報を設定する。なお、当該項目は、秘匿フラグは「無し」である。マスキング信号出力部２０８は、マスキング信号を出力しない。
【００９６】
図９は、実施形態１に従う画像形成装置１の所定の機能の設定処理のフローを説明するフロー図である。
【００９７】
図９を参照して、設定部２０６は、記憶装置１１０に格納されている設定テーブルを取得する（ステップＳ２）。
【００９８】
設定部２０６は、設定テーブルを参照して、入力項目を取得する（ステップＳ４）。
次に、設定部２０６は、取得した入力項目をガイダンス情報出力部２０４に出力する。ガイダンス情報出力部２０４は、設定部２０６から出力された入力項目に基づいてガイダンス情報を出力する（ステップＳ６）。具体的には、ガイダンス情報出力部２０４は、スピーカ１０６を介して取得した入力項目に対応するガイダンス情報を出力する。
【００９９】
次に、設定部２０６は、取得した入力項目に対応する秘匿フラグが有るかいなかを判定する（ステップＳ８）
次に、設定部２０６は、秘匿フラグが有ると判定した場合（ステップＳ８においてＹＥＳ）には、マスキング信号出力部２０８にマスキング信号を出力するように指示する（ステップＳ１０）。これにより、マスキング信号出力部２０８は、スピーカ１０６を介してマスキング信号を出力する。
【０１００】
一方、ステップＳ８において、設定部２０６は、秘匿フラグが無いと判定した場合（ステップＳ８においてＮＯ）には、ステップＳ１０をスキップして、ステップＳ１２に進む。
【０１０１】
ステップＳ１２において、音声受付部１０１は、マイクを介してユーザからの音声入力を受け付けたか否かを判定する（ステップＳ１２）。
【０１０２】
ステップＳ１２において、音声受付部１０１がマイクを介してユーザからの音声入力を受け付けた場合（ステップＳ１２においてＹＥＳ）には、音声認識部２０２は、ユーザの音声入力された情報を認識して設定部２０６に出力する（ステップＳ１４）。
【０１０３】
一方、ステップＳ１２において、音声受付部１０１がマイクを介してユーザからの音声入力を受け付けない場合（ステップＳ１２においてＮＯ）には、ステップＳ８に戻り上記処理を繰り返す。
【０１０４】
次に、設定部２０６は、音声認識部２０２から出力された情報を設定テーブル１００の対応する項目に設定（更新）する（ステップＳ１６）。
【０１０５】
次に、設定部２０６は、処理が終了したか否かを判定する（ステップＳ１８）。
設定部２０６は、設定テーブルの全ての項目の設定処理が終了したか否かを判定する。設定部２０６は、設定テーブルの全ての項目の設定処理が終了したと判定した場合（ステップＳ１８においてＹＥＳ）には、処理を終了する（エンド）。
【０１０６】
一方、設定部２０６は、設定テーブルの全ての項目の設定処理が終了していないと判定した場合（ステップＳ１８においてＮＯ）には、次の入力項目を対象とする（ステップＳ２０）。
【０１０７】
そして、ステップＳ４に戻り、設定部２０６は、入力項目を取得する（ステップＳ４）。以降の処理は同様である。
【０１０８】
当該処理により、秘匿フラグが対応づけられている入力項目においてはマスキング信号が出力されるためセキュリティを高めることが可能である。また、常にマスキング信号が出力されるのではなく、機密性の高い入力項目に関してはマスキング信号が出力され、機密性の低い入力項目についてはマスキング信号は出力されないため、他者に対して不快な印象を与える時間を短くすることが可能である。したがって、他者に対して快適な環境を提供することが可能である。
【０１０９】
＜実施形態２＞
上記の実施形態１においては、設定テーブルの入力項目の順番に従って機密性の高い入力項目に関してマスキング信号を出力し、機密性の低い入力項目についてはマスキング信号を出力しない方式について説明した。
【０１１０】
一方で、機密性の高い入力項目と、機密性の低い入力項目とをそれぞれグループ化することにより、マスキング信号を出力する期間を纏めることが可能となる。
【０１１１】
図１０は、実施形態２に従う画像形成装置１の所定の機能の設定処理の流れを説明する概念図である。
【０１１２】
図１０に示されるように、実施形態２においては、機密性の高い入力項目と、機密性の低い入力項目とをそれぞれグループ化する。本例においては、機密性の低い入力項目「ユーザ名」、「利用機能」、「原稿カラー」、「ファイル形式」と、機密性の高い入力項目「パスワード」、「宛先」をそれぞれグループ化する。
【０１１３】
機密性の低い入力項目群を最初にし、機密性の高い入力項目群を後にする場合が示されている。なお、機密性の高い入力項目群を最初にし、機密性の低い入力項目群を後にしてもよい。
【０１１４】
具体的には、ガイダンス情報出力部２０４は、設定テーブル３００の各項目に対応してガイダンス情報をスピーカ１０６を介して出力する。たとえば、ガイダンス情報出力部２０４は、入力項目「ユーザ名」に対応して「ユーザ名は？」をスピーカ１０６を介して出力する。
【０１１５】
ユーザは、当該ガイダンス情報に従って「Ｙａｍａｄａ」を発話する。
音声受付部２００は、マイク１０８を介して音声入力「Ｙａｍａｄａ」を受け付けて、音声認識部２０２に出力する。音声認識部２０２は、音声入力「Ｙａｍａｄａ」の情報を認識して設定部２０６に出力する。設定部２０６は、入力項目「ユーザ名」に対応する入力例の欄に当該情報を設定する。なお、当該項目は、秘匿フラグは無しである。マスキング信号出力部２０８は、マスキング信号を出力しない。
【０１１６】
次に、ガイダンス情報出力部２０４は、設定テーブル３００の入力項目「利用機能」に対応して「何をしますか？」をスピーカ１０６を介して出力する。
【０１１７】
ユーザは、当該ガイダンス情報に従って「スキャン、メール送信」を発話する。
音声受付部２００は、マイク１０８を介して音声入力「スキャン、メール送信」を受け付けて、音声認識部２０２に出力する。音声認識部２０２は、音声入力「スキャン、メール送信」の情報を認識して設定部２０６に出力する。設定部２０６は、入力項目「利用機能」に対応する入力例の欄に当該情報を設定する。なお、当該項目は、秘匿フラグは「無し」である。マスキング信号出力部２０８は、マスキング信号を出力しない。
【０１１８】
次に、ガイダンス情報出力部２０４は、設定テーブル３００の入力項目「原稿カラー」に対応して「カラーですか？」をスピーカ１０６を介して出力する。
【０１１９】
ユーザは、当該ガイダンス情報に従って「カラー」を発話する。
音声受付部２００は、マイク１０８を介して音声入力「カラー」を受け付けて、音声認識部２０２に出力する。音声認識部２０２は、音声入力「カラー」の情報を認識して設定部２０６に出力する。設定部２０６は、入力項目「原稿カラー」に対応する入力例の欄に当該情報を設定する。なお、当該項目は、秘匿フラグは「無し」である。マスキング信号出力部２０８は、マスキング信号を出力しない。
【０１２０】
次に、ガイダンス情報出力部２０４は、設定テーブル３００の入力項目「ファイル形式」に対応して「ファイル形式は？」をスピーカ１０６を介して出力する。
【０１２１】
ユーザは、当該ガイダンス情報に従って「ＰＤＦ」を発話する。
音声受付部２００は、マイク１０８を介して音声入力「ＰＤＦ」を受け付けて、音声認識部２０２に出力する。音声認識部２０２は、音声入力「ＰＤＦ」の情報を認識して設定部２０６に出力する。設定部２０６は、入力項目「ファイル形式」に対応する入力例の欄に当該情報を設定する。なお、当該項目は、秘匿フラグは「無し」である。マスキング信号出力部２０８は、マスキング信号を出力しない。
【０１２２】
次に、ガイダンス情報出力部２０４は、設定テーブル３００の入力項目「パスワード」に対応して「パスワードは？」をスピーカ１０６を介して出力する。
【０１２３】
ユーザは、当該ガイダンス情報に従って「Ａｂｃ１２３」を発話する。
音声受付部２００は、マイク１０８を介して音声入力「Ａｂｃ１２」を受け付けて、音声認識部２０２に出力する。音声認識部２０２は、音声入力「Ａｂｃ１２３」の情報を認識して設定部２０６に出力する。設定部２０６は、入力項目「パスワード」に対応する入力例の欄に当該情報を設定する。なお、当該項目は、秘匿フラグは「有り」である。マスキング信号出力部２０８は、ユーザが発話している間においてマスキング信号を出力する。これにより、ユーザの秘匿すべき情報が他者に伝わらないようにすることが可能である。例えば、ガイダンス情報出力部２０４は、「パスワードは？」をスピーカ１０６を介して出力した後、秘匿フラグに従ってマスキング信号を出力する。ガイダンス情報出力部２０４は、音声認識部２０２が音声入力を受け付けるまで継続してマスキング信号を出力するようにしても良い。あるいは、音声認識部２０２は、音声認識部２０２が音声入力を認識するまで継続してマスキング信号を出力するようにしても良い。
【０１２４】
次に、ガイダンス情報出力部２０４は、設定テーブル３００の入力項目「宛先」に対応して「宛先は？」をスピーカ１０６を介して出力する。
【０１２５】
ユーザは、当該ガイダンス情報に従って「Ｓｕｚｕｋｉ＠ｈｏｇｅ．ｃｏｍ」を発話する。
【０１２６】
音声受付部２００は、マイク１０８を介して音声入力「Ｓｕｚｕｋｉ＠ｈｏｇｅ．ｃｏｍ」を受け付けて、音声認識部２０２に出力する。音声認識部２０２は、音声入力「Ｓｕｚｕｋｉ＠ｈｏｇｅ．ｃｏｍ」の情報を認識して設定部２０６に出力する。設定部２０６は、入力項目「宛先」に対応する入力例の欄に当該情報を設定する。なお、当該項目は、秘匿フラグは「有り」である。マスキング信号出力部２０８は、ユーザが発話している間においてマスキング信号を出力する。これにより、ユーザの秘匿すべき情報が他者に伝わらないようにすることが可能である。例えば、ガイダンス情報出力部２０４は、「宛先は？」をスピーカ１０６を介して出力した後、秘匿フラグに従ってマスキング信号を出力する。ガイダンス情報出力部２０４は、音声認識部２０２が音声入力を受け付けるまで継続してマスキング信号を出力するようにしても良い。あるいは、音声認識部２０２は、音声認識部２０２が音声入力を認識するまで継続してマスキング信号を出力するようにしても良い。
【０１２７】
当該方式により、マスキング信号を出力する期間を纏めることが可能となるため、他者に対して不快な印象を与える時間を短くすることが可能である。したがって、他者に対して快適な環境を提供することが可能である。
【０１２８】
図１１は、実施形態２に基づく所定の機能の設定処理を実行するための設定テーブル３０２を説明する図である。
【０１２９】
図１１に示されるように、記憶装置１１０は、設定テーブル３０２を予め格納している。
【０１３０】
設定テーブル３０２は、複数の項目が予め設けられており、上から順番に番号に従ってガイダンス情報が出力される。また、ガイダンス情報に従ってユーザが音声入力した情報が設定される。
【０１３１】
図７の設定テーブルと比較して、機密性の低い項目がテーブルの上位に設けられ、機密性の高い項目がテーブルの下位に設けられている。
【０１３２】
具体的には、入力項目の番号「１」、「３」、「５」、「６」、「２」、「４」の順番にテーブルが設定されている。
【０１３３】
図１２は、実施形態２に従う画像形成装置１の所定の機能の設定処理のフローを説明するフロー図である。
【０１３４】
図１２を参照して、設定部２０６は、記憶装置１１０に格納されている設定テーブルを取得する（ステップＳ２）。
【０１３５】
次に、設定部２０６は、設定テーブルの配列を変更する（ステップＳ３）。
具体的には、図１１で説明したように設定部２０６は、機密性の低い入力項目群を最初にし、機密性の高い入力項目群を後にする場合が示されている。なお、機密性の高い入力項目群を最初にし、機密性の低い入力項目群を後にしてもよい。なお、機密性の高い入力項目か否かは秘匿フラグの有無により判断することが可能である。
【０１３６】
次に、設定部２０６は、設定テーブルを参照して、入力項目を取得する（ステップＳ４）。以降の処理については、図９で説明したのと同様であるのでその詳細な説明については繰り返さない。
【０１３７】
当該方式により、マスキング信号を出力する期間を纏めることが可能となるため、他者に対して不快な印象を与える時間を短くすることが可能である。したがって、他者に対して快適な環境を提供することが可能である。
【０１３８】
＜実施形態３＞
上記の実施形態１および２においては、機密性の高い入力項目に関してはマスキング信号を出力する場合について説明した。一方で、ユーザが一人しかいない状況においては、マスキング信号を出力する必要が無い。
【０１３９】
実施形態３においては、周囲の環境情報も考慮してマスキング信号を出力する場合について説明する。
【０１４０】
図１３は、実施形態３に従う制御装置１０１＃の機能ブロックを説明する図である。
図１３を参照して、制御装置１０１＃は、図５で説明した制御装置１０１の機能ブロック図と比較して、他者検知部２１０を追加した点が異なる。
【０１４１】
その他の構成については、図５で説明したのと同様であるのでその詳細な説明については繰り返さない。
【０１４２】
他者検知部２１０は、マイク１０８を介して入力される音声情報に基づいてユーザ以外の他者が存在するか否かを判定する。例えば、マイク１０８で受け付ける所定帯域の音声信号の強度を識別することによりユーザか、ユーザ以外の他者かを判定することが可能である。例えば強度の小さい音声信号が入力される場合には、他者が存在すると判定しても良い。
【０１４３】
実施形態３においては、他者検知部２１０により他者が存在すると判定した場合に、マスキング信号を出力する。他者検知部２１０により他者が存在しないと判定されている場合には、マスキング信号を出力しない。
【０１４４】
図１４は、実施形態３に従う画像形成装置１の所定の機能の設定処理の流れを説明する概念図である。本例においては、ユーザ以外の他者が存在しない場合について説明する。
【０１４５】
図１４に示されるように、ガイダンス情報出力部２０４は、設定テーブル３００の各項目に対応してガイダンス情報をスピーカ１０６を介して出力する。たとえば、ガイダンス情報出力部２０４は、入力項目「ユーザ名」に対応して「ユーザ名は？」をスピーカ１０６を介して出力する。
【０１４６】
図８の方式と比較して、ガイダンス情報出力部２０４は、設定テーブル３００の入力項目「パスワード」に対応して「パスワードは？」をスピーカ１０６を介して出力する。ユーザは、当該ガイダンス情報に従って「Ａｂｃ１２３」を発話する。
【０１４７】
その際に、実施形態１においては、マスキング信号出力部２０８は、ユーザが発話している間においてマスキング信号を出力する。
【０１４８】
一方で、実施形態３においては、他者検知部２１０により他者が存在しないと判定されている場合には、マスキング信号を出力しない。他の処理については同様である。
【０１４９】
図１５は、実施形態３に従う画像形成装置１の所定の機能の設定処理のフローを説明するフロー図である。
【０１５０】
図１５を参照して、図９のフロー図と比較して、ステップＳ８において、設定部２０６は、秘匿フラグが有ると判定した場合（ステップＳ８においてＹＥＳ）には、他者が存在しているかいなかを判定する（ステップＳ９）。具体的には、設定部２０６は、他者検知部２１０から他者を検知する旨の通知を受けているか否かを判定する。
【０１５１】
ステップＳ９において、設定部２０６は、他者が存在していると判定した場合（ステップＳ９においてＹＥＳ）には、マスキング信号出力部２０８にマスキング信号を出力するように指示する（ステップＳ１０）。これにより、マスキング信号出力部２０８は、スピーカ１０６を介してマスキング信号を出力する。
【０１５２】
一方、ステップＳ９において、設定部２０６は、他者が存在しないと判定した場合（ステップＳ９においてＮＯ）には、ステップＳ１０をスキップして、ステップＳ１２に進む。
【０１５３】
以降の処理は同様であるのでその詳細な説明については繰り返さない。
当該処理により、他者が存在するためにマスキング信号を出力する状況か否かを判定し、他者が存在しない場合にはマスキング信号を出力しないようにすることが可能である。これにより不必要な動作を抑制し、消費電力を低減することが可能である。また、他者に対して快適な環境を提供することが可能である。
【０１５４】
＜実施形態４＞
上記の実施形態においては、ユーザの発話した内容に基づいて設定テーブルに設定する方式について説明した。
【０１５５】
一方で、設定が禁止されている条件をユーザが発話する可能性もある。
それによって、先に入力した設定内容を変更する必要が発生する場合がある。
【０１５６】
図１６は、実施形態４に基づく所定の機能の設定処理を実行するための設定テーブル３０４を説明する図である。
【０１５７】
図１６に示されるように、設定テーブル３０４は、設定テーブル３０２と比較して、ファイル形式が「ＰＤＦ」から「暗号化ＰＤＦ」に変更されるとともに、新たに、「暗号キー」の入力項目が追加される点が異なる。
【０１５８】
実施形態４に従う設定部２０６は、設定テーブル３０４の設定とともに、当該入力項目の有効性の判断処理を実行する。
【０１５９】
入力項目が有効である場合には、次の入力項目の入力処理が実行される。一方、入力項目が有効でない（無効）場合には、有効となるように前の入力項目の入力処理を再度実行する。
【０１６０】
本例においては、入力項目「ファイル形式」の設定処理を再度実行して、「ＰＤＦ」を「暗号化ＰＤＦ」に変更して再設定した場合が示されている。
【０１６１】
図１７は、実施形態４に従う禁止条件を示すテーブルを説明する図である。
図１７に示されるように、メールの宛先と、ファイル形式（ＰＤＦ）との関係が示されている。
【０１６２】
具体的には、当該テーブルにおいては、メールの宛先として社内の場合には、暗号化された暗号化ＰＤＦおよび暗号化されていない通常のＰＤＦのいずれもファイル形式を選択することが可能である。
【０１６３】
一方、メールの宛先として社外の場合には、暗号化された暗号化ＰＤＦのみファイル形式を選択することが可能であり、暗号化されていない通常のＰＤＦのファイル形式を選択することはできない。
【０１６４】
従って、仮にメールの宛先が社外である場合に、ファイル形式として通常のＰＤＦが選択されている場合には設定内容を変更する処理が必要となる。
【０１６５】
宛先が社外であるか社内であるかは、「＠」記号よりも後ろのアドレスを識別することにより宛先が社外か社内かを判定するようにしても良い。
【０１６６】
図１８は、実施形態４に従う画像形成装置１の所定の機能の設定処理の流れを説明する概念図である。
【０１６７】
図１８に示されるように、実施形態４においては、機密性の高い入力項目と、機密性の低い入力項目とをそれぞれグループ化する。本例においては、機密性の低い入力項目「ユーザ名」、「利用機能」、「原稿カラー」、「ファイル形式」と、機密性の高い入力項目「パスワード」、「宛先」をそれぞれグループ化する。
【０１６８】
機密性の低い入力項目群を最初にし、機密性の高い入力項目群を後にする場合が示されている。なお、機密性の高い入力項目群を最初にし、機密性の低い入力項目群を後にしてもよい。
【０１６９】
具体的には、ガイダンス情報出力部２０４は、設定テーブル３００の各項目に対応してガイダンス情報をスピーカ１０６を介して出力する。たとえば、ガイダンス情報出力部２０４は、入力項目「ユーザ名」に対応して「ユーザ名は？」をスピーカ１０６を介して出力する。
【０１７０】
ユーザは、当該ガイダンス情報に従って「Ｙａｍａｄａ」を発話する。
音声受付部２００は、マイク１０８を介して音声入力「Ｙａｍａｄａ」を受け付けて、音声認識部２０２に出力する。音声認識部２０２は、音声入力「Ｙａｍａｄａ」の情報を認識して設定部２０６に出力する。設定部２０６は、入力項目「ユーザ名」に対応する入力例の欄に当該情報を設定する。なお、当該項目は、秘匿フラグは無しである。マスキング信号出力部２０８は、マスキング信号を出力しない。
【０１７１】
次に、ガイダンス情報出力部２０４は、設定テーブル３００の入力項目「利用機能」に対応して「何をしますか？」をスピーカ１０６を介して出力する。
【０１７２】
ユーザは、当該ガイダンス情報に従って「スキャン、メール送信」を発話する。
音声受付部２００は、マイク１０８を介して音声入力「スキャン、メール送信」を受け付けて、音声認識部２０２に出力する。音声認識部２０２は、音声入力「スキャン、メール送信」の情報を認識して設定部２０６に出力する。設定部２０６は、入力項目「利用機能」に対応する入力例の欄に当該情報を設定する。なお、当該項目は、秘匿フラグは「無し」である。マスキング信号出力部２０８は、マスキング信号を出力しない。
【０１７３】
次に、ガイダンス情報出力部２０４は、設定テーブル３００の入力項目「原稿カラー」に対応して「カラーですか？」をスピーカ１０６を介して出力する。
【０１７４】
ユーザは、当該ガイダンス情報に従って「カラー」を発話する。
音声受付部２００は、マイク１０８を介して音声入力「カラー」を受け付けて、音声認識部２０２に出力する。音声認識部２０２は、音声入力「カラー」の情報を認識して設定部２０６に出力する。設定部２０６は、入力項目「原稿カラー」に対応する入力例の欄に当該情報を設定する。なお、当該項目は、秘匿フラグは「無し」である。マスキング信号出力部２０８は、マスキング信号を出力しない。
【０１７５】
次に、ガイダンス情報出力部２０４は、設定テーブル３００の入力項目「ファイル形式」に対応して「ファイル形式は？」をスピーカ１０６を介して出力する。
【０１７６】
ユーザは、当該ガイダンス情報に従って「ＰＤＦ」を発話する。
音声受付部２００は、マイク１０８を介して音声入力「ＰＤＦ」を受け付けて、音声認識部２０２に出力する。音声認識部２０２は、音声入力「ＰＤＦ」の情報を認識して設定部２０６に出力する。設定部２０６は、入力項目「ファイル形式」に対応する入力例の欄に当該情報を設定する。なお、当該項目は、秘匿フラグは「無し」である。マスキング信号出力部２０８は、マスキング信号を出力しない。
【０１７７】
次に、ガイダンス情報出力部２０４は、設定テーブル３００の入力項目「パスワード」に対応して「パスワードは？」をスピーカ１０６を介して出力する。
【０１７８】
ユーザは、当該ガイダンス情報に従って「Ａｂｃ１２３」を発話する。
音声受付部２００は、マイク１０８を介して音声入力「Ａｂｃ１２」を受け付けて、音声認識部２０２に出力する。音声認識部２０２は、音声入力「Ａｂｃ１２３」の情報を認識して設定部２０６に出力する。設定部２０６は、入力項目「パスワード」に対応する入力例の欄に当該情報を設定する。なお、当該項目は、秘匿フラグは「有り」である。マスキング信号出力部２０８は、ユーザが発話している間においてマスキング信号を出力する。これにより、ユーザの秘匿すべき情報が他者に伝わらないようにすることが可能である。例えば、ガイダンス情報出力部２０４は、「パスワードは？」をスピーカ１０６を介して出力した後、秘匿フラグに従ってマスキング信号を出力する。ガイダンス情報出力部２０４は、音声認識部２０２が音声入力を受け付けるまで継続してマスキング信号を出力するようにしても良い。あるいは、音声認識部２０２は、音声認識部２０２が音声入力を認識するまで継続してマスキング信号を出力するようにしても良い。
【０１７９】
次に、ガイダンス情報出力部２０４は、設定テーブル３００の入力項目「宛先」に対応して「宛先は？」をスピーカ１０６を介して出力する。
【０１８０】
ユーザは、当該ガイダンス情報に従って「Ｓｕｚｕｋｉ＠ｈｏｇｅ．ｃｏｍ」を発話する。
【０１８１】
音声受付部２００は、マイク１０８を介して音声入力「Ｓｕｚｕｋｉ＠ｈｏｇｅ．ｃｏｍ」を受け付けて、音声認識部２０２に出力する。音声認識部２０２は、音声入力「Ｓｕｚｕｋｉ＠ｈｏｇｅ．ｃｏｍ」の情報を認識して設定部２０６に出力する。設定部２０６は、入力項目「宛先」に対応する入力例の欄に当該情報を設定する。なお、当該項目は、秘匿フラグは「有り」である。マスキング信号出力部２０８は、ユーザが発話している間においてマスキング信号を出力する。これにより、ユーザの秘匿すべき情報が他者に伝わらないようにすることが可能である。例えば、ガイダンス情報出力部２０４は、「宛先は？」をスピーカ１０６を介して出力した後、秘匿フラグに従ってマスキング信号を出力する。ガイダンス情報出力部２０４は、音声認識部２０２が音声入力を受け付けるまで継続してマスキング信号を出力するようにしても良い。あるいは、音声認識部２０２は、音声認識部２０２が音声入力を認識するまで継続してマスキング信号を出力するようにしても良い。
【０１８２】
ここで、「宛先」に設定した「Ｓｕｚｕｋｉ＠ｈｏｇｅ．ｃｏｍ」が社外である場合について説明する。
【０１８３】
設定部２０６は、図１６で説明した禁止条件を示すテーブルに基づいてファイル形式「ＰＤＦ」を設定できないと判断する。
【０１８４】
設定部２０６は、変更する設定を抽出してガイダンス情報出力部２０４に出力する。ガイダンス情報出力部２０４は、「その宛先にはＰＤＦでは送信できません。ファイル形式は？」をスピーカ１０６を介して出力する。
【０１８５】
ユーザは、当該ガイダンス情報に従って「暗号化ＰＤＦ」を発話する。
音声受付部２００は、マイク１０８を介して音声入力「暗号化ＰＤＦ」を受け付けて、音声認識部２０２に出力する。音声認識部２０２は、音声入力「暗号化ＰＤＦ」の情報を認識して設定部２０６に出力する。設定部２０６は、入力項目「ファイル形式」に対応する入力例の欄の情報を更新する。具体的には、「ＰＤＦ」から「暗号化ＰＤＦ」に更新する。設定部２０６は、ファイル形式が「暗号化ＰＤＦ」の場合には、暗号化するために必要な暗号キーの入力項目を設定テーブルに追加する。
【０１８６】
ガイダンス情報出力部２０４は、設定テーブル３００の入力項目「暗号キー」に対応して「暗号キーは？」をスピーカ１０６を介して出力する。
【０１８７】
ユーザは、当該ガイダンス情報に従って「１２３」を発話する。
音声受付部２００は、マイク１０８を介して音声入力「１２３」を受け付けて、音声認識部２０２に出力する。音声認識部２０２は、音声入力「１２３」の情報を認識して設定部２０６に出力する。設定部２０６は、入力項目「暗号キー」に対応する入力例の欄に当該情報を設定する。なお、当該項目は、秘匿フラグは「有り」である。マスキング信号出力部２０８は、ユーザが発話している間においてマスキング信号を出力する。これにより、ユーザの秘匿すべき情報が他者に伝わらないようにすることが可能である。例えば、ガイダンス情報出力部２０４は、「宛先は？」をスピーカ１０６を介して出力した後、秘匿フラグに従ってマスキング信号を出力する。ガイダンス情報出力部２０４は、音声認識部２０２が音声入力を受け付けるまで継続してマスキング信号を出力するようにしても良い。あるいは、音声認識部２０２は、音声認識部２０２が音声入力を認識するまで継続してマスキング信号を出力するようにしても良い。
【０１８８】
図１９は、実施形態４に従う画像形成装置１の所定の機能の設定処理のフローを説明するフロー図である。
【０１８９】
図１９を参照して、図１２のフローと比較して、ステップＳ１６をステップＳ１６＃に置換した点が異なる。その他の点については同様であるのでその詳細な説明については繰り返さない。
【０１９０】
図２０は、実施形態４に従うテーブルの更新を説明するサブルーチンのフロー図である。
【０１９１】
図２０を参照して、設定部２０６は、音声認識部２０２が認識した内容に基づいて設定テーブルの対応する入力項目を設定する（ステップＳ３２）。
【０１９２】
次に、設定部２０６は、禁則となる設定が有るか否かを判断する（ステップＳ３４）。
ステップＳ３４において、設定部２０６は、禁則となる設定が無いと判断した場合（ステップＳ３４においてＮＯ）には、処理を終了する（リターン）。
【０１９３】
実施形態４においては、設定部２０６は、図１６で説明したように禁止条件を示すテーブルに基づいて禁則となる設定が有るか否かを判断する。
【０１９４】
設定部２０６は、ファイル形式が「ＰＤＦ」でメールの宛先が社外であるか否かを判断し、当該条件が成立する場合には禁則となる設定があると判断する。
【０１９５】
ステップＳ３４において、設定部２０６は、禁則となる設定が有ると判断した場合（ステップＳ３４においてＹＥＳ）には、変更する設定を抽出する（ステップＳ３６）。
【０１９６】
具体的には、設定部２０６は、変更する設定としてファイル形式の入力項目を抽出する。設定部２０６は、当該変更する入力項目をガイダンス情報出力部２０４に出力する。
【０１９７】
ガイダンス情報出力部２０４は、設定部２０６から出力された入力項目に基づいて変更するガイダンス情報を出力する。
【０１９８】
そして、図１９のステップＳ８に進む。
以降は、上述した方式と同様である。
【０１９９】
図２０を参照して、設定部２０６は、取得した入力項目に対応する秘匿フラグが有るかいなかを判定する（ステップＳ８）
次に、設定部２０６は、秘匿フラグが有ると判定した場合（ステップＳ８においてＹＥＳ）には、マスキング信号出力部２０８にマスキング信号を出力するように指示する（ステップＳ１０）。これにより、マスキング信号出力部２０８は、スピーカ１０６を介してマスキング信号を出力する。
【０２００】
一方、ステップＳ８において、設定部２０６は、秘匿フラグが無いと判定した場合（ステップＳ８においてＮＯ）には、ステップＳ１０をスキップして、ステップＳ１２に進む。
【０２０１】
ステップＳ１２において、音声受付部１０１は、マイクを介してユーザからの音声入力を受け付けたか否かを判定する（ステップＳ１２）。
【０２０２】
ステップＳ１２において、音声受付部１０１がマイクを介してユーザからの音声入力を受け付けた場合（ステップＳ１２においてＹＥＳ）には、音声認識部２０２は、ユーザの音声入力された情報を認識して設定部２０６に出力する（ステップＳ１４）。
【０２０３】
一方、ステップＳ１２において、音声受付部１０１がマイクを介してユーザからの音声入力を受け付けない場合（ステップＳ１２においてＮＯ）には、ステップＳ８に戻り上記処理を繰り返す。
【０２０４】
次に、設定部２０６は、音声認識部２０２から出力された情報を設定テーブル１００の対応する項目に設定（更新）する（ステップＳ１６＃）。
【０２０５】
禁則となる設定が無くなるまで当該処理を繰り返す。
当該処理により、設定が禁止されている条件をユーザが発話した場合においても、先に入力した設定内容を適切に変更して再設定することが可能である。
【０２０６】
＜実施形態５＞
上記の実施形態においては、入力項目に対応する秘匿フラグがある場合には、マスキング信号を出力する場合について説明した。一方で、ユーザは、ユーザの意図するタイミングで機密性の高い情報を発話する場合も考えられる。当該場合にマスキング信号を出力しない場合には情報が漏洩する可能性もある。
【０２０７】
実施形態５においては、ユーザが機密性の高い情報を発話した場合には、マスキング信号を出力する方式について説明する。
【０２０８】
図２１は、実施形態５に従う画像形成装置１の所定の機能の設定処理の流れを説明する概念図である。
【０２０９】
図２１に示されるように、実施形態５においては、機密性の高い入力項目と、機密性の低い入力項目とをそれぞれグループ化する。本例においては、機密性の低い入力項目「ユーザ名」、「利用機能」、「原稿カラー」、「ファイル形式」と、機密性の高い入力項目「パスワード」、「宛先」をそれぞれグループ化する。
【０２１０】
機密性の低い入力項目群を最初にし、機密性の高い入力項目群を後にする場合が示されている。なお、機密性の高い入力項目群を最初にし、機密性の低い入力項目群を後にしてもよい。
【０２１１】
具体的には、ガイダンス情報出力部２０４は、設定テーブル３００の各項目に対応してガイダンス情報をスピーカ１０６を介して出力する。たとえば、ガイダンス情報出力部２０４は、入力項目「ユーザ名」に対応して「ユーザ名は？」をスピーカ１０６を介して出力する。
【０２１２】
ユーザは、当該ガイダンス情報に従って「Ｙａｍａｄａ」を発話する。
音声受付部２００は、マイク１０８を介して音声入力「Ｙａｍａｄａ」を受け付けて、音声認識部２０２に出力する。音声認識部２０２は、音声入力「Ｙａｍａｄａ」の情報を認識して設定部２０６に出力する。設定部２０６は、入力項目「ユーザ名」に対応する入力例の欄に当該情報を設定する。なお、当該項目は、秘匿フラグは無しである。マスキング信号出力部２０８は、マスキング信号を出力しない。
【０２１３】
次に、ガイダンス情報出力部２０４は、設定テーブル３００の入力項目「利用機能」に対応して「何をしますか？」をスピーカ１０６を介して出力する。
【０２１４】
ユーザは、当該ガイダンス情報に従って「スキャン、メール送信」を発話する。
音声受付部２００は、マイク１０８を介して音声入力「スキャン、メール送信」を受け付けて、音声認識部２０２に出力する。音声認識部２０２は、音声入力「スキャン、メール送信」の情報を認識して設定部２０６に出力する。設定部２０６は、入力項目「利用機能」に対応する入力例の欄に当該情報を設定する。なお、当該項目は、秘匿フラグは「無し」である。マスキング信号出力部２０８は、マスキング信号を出力しない。
【０２１５】
次に、ガイダンス情報出力部２０４は、設定テーブル３００の入力項目「原稿カラー」に対応して「カラーですか？」をスピーカ１０６を介して出力する。
【０２１６】
ユーザは、当該ガイダンス情報に従って「カラー」を発話する。
音声受付部２００は、マイク１０８を介して音声入力「カラー」を受け付けて、音声認識部２０２に出力する。音声認識部２０２は、音声入力「カラー」の情報を認識して設定部２０６に出力する。設定部２０６は、入力項目「原稿カラー」に対応する入力例の欄に当該情報を設定する。なお、当該項目は、秘匿フラグは「無し」である。マスキング信号出力部２０８は、マスキング信号を出力しない。
【０２１７】
次に、ガイダンス情報出力部２０４は、設定テーブル３００の入力項目「ファイル形式」に対応して「ファイル形式は？」をスピーカ１０６を介して出力する。
【０２１８】
ユーザは、当該ガイダンス情報に従って「暗号化ＰＤＦ。暗号キーは、」を発話する。
音声受付部２００は、マイク１０８を介して音声入力「暗号化ＰＤＦ。暗号キーは」を受け付けて、音声認識部２０２に出力する。音声認識部２０２は、音声入力「暗号化ＰＤＦ。暗号キーは、」の情報を認識して設定部２０６に出力する。設定部２０６は、入力項目「ファイル形式」に対応する入力例の欄に当該情報（「暗号化ＰＤＦ」）を設定する。
【０２１９】
さらに、設定部２０６は、ファイル形式が「暗号化ＰＤＦ」の場合には、暗号化するために必要な暗号キーの入力項目を設定テーブルに追加する。
【０２２０】
また、設定部２０６は、入力項目「暗号キー」に対応する発話であると判断して、当該項目に対応する秘匿フラグを確認する。当該項目は、秘匿フラグ「有り」である。
【０２２１】
マスキング信号出力部２０８は、ユーザが発話している間においてマスキング信号を出力する。すなわち、ユーザが「暗号キーは」と発話した後、「１２３」と発話している間においてマスキング信号を出力する。
【０２２２】
音声受付部２００は、マイク１０８を介して音声入力「１２３」を受け付けて、音声認識部２０２に出力する。音声認識部２０２は、音声入力「１２３」の情報を認識して設定部２０６に出力する。
【０２２３】
設定部２０６は、入力項目「暗号キー」に対応する入力例の欄に当該情報を設定する。
次に、ガイダンス情報出力部２０４は、設定テーブル３００の入力項目「パスワード」に対応して「パスワードは？」をスピーカ１０６を介して出力する。
【０２２４】
ユーザは、当該ガイダンス情報に従って「Ａｂｃ１２３」を発話する。
音声受付部２００は、マイク１０８を介して音声入力「Ａｂｃ１２」を受け付けて、音声認識部２０２に出力する。音声認識部２０２は、音声入力「Ａｂｃ１２３」の情報を認識して設定部２０６に出力する。設定部２０６は、入力項目「パスワード」に対応する入力例の欄に当該情報を設定する。なお、当該項目の秘匿フラグは「有り」である。マスキング信号出力部２０８は、ユーザが発話している間においてマスキング信号を出力する。これにより、ユーザの秘匿すべき情報が他者に伝わらないようにすることが可能である。例えば、ガイダンス情報出力部２０４は、「パスワードは？」をスピーカ１０６を介して出力した後、秘匿フラグに従ってマスキング信号を出力する。ガイダンス情報出力部２０４は、音声認識部２０２が音声入力を受け付けるまで継続してマスキング信号を出力するようにしても良い。あるいは、音声認識部２０２は、音声認識部２０２が音声入力を認識するまで継続してマスキング信号を出力するようにしても良い。
【０２２５】
次に、ガイダンス情報出力部２０４は、設定テーブル３００の入力項目「宛先」に対応して「宛先は？」をスピーカ１０６を介して出力する。
【０２２６】
ユーザは、当該ガイダンス情報に従って「Ｓｕｚｕｋｉ＠ｈｏｇｅ．ｃｏｍ」を発話する。
【０２２７】
音声受付部２００は、マイク１０８を介して音声入力「Ｓｕｚｕｋｉ＠ｈｏｇｅ．ｃｏｍ」を受け付けて、音声認識部２０２に出力する。音声認識部２０２は、音声入力「Ｓｕｚｕｋｉ＠ｈｏｇｅ．ｃｏｍ」の情報を認識して設定部２０６に出力する。設定部２０６は、入力項目「宛先」に対応する入力例の欄に当該情報を設定する。なお、当該項目の秘匿フラグは「有り」である。マスキング信号出力部２０８は、ユーザが発話している間においてマスキング信号を出力する。これにより、ユーザの秘匿すべき情報が他者に伝わらないようにすることが可能である。例えば、ガイダンス情報出力部２０４は、「宛先は？」をスピーカ１０６を介して出力した後、秘匿フラグに従ってマスキング信号を出力する。ガイダンス情報出力部２０４は、音声認識部２０２が音声入力を受け付けるまで継続してマスキング信号を出力するようにしても良い。あるいは、音声認識部２０２は、音声認識部２０２が音声入力を認識するまで継続してマスキング信号を出力するようにしても良い。
【０２２８】
図２２は、実施形態５に従う画像形成装置１の所定の機能の設定処理のフローを説明するフロー図である。
【０２２９】
図２２を参照して、図１２のフローと比較して、ステップＳ１７を追加した点が異なる。
【０２３０】
具体的には、ステップＳ１６の次に、音声入力情報の解析処理を実行する（ステップＳ１７）。その他の点については同様であるのでその詳細な説明については繰り返さない。
【０２３１】
図２３は、実施形態５に従う画像形成装置１の音声入力情報の解析処理のサブルーチンのフロー図である。
【０２３２】
図２３を参照して、設定部２０６は、音声認識部２０２が認識した音声入力情報を取得する（ステップＳ５０）。
【０２３３】
次に、設定部２０６は、入力項目以外の他の音声入力情報が含まれているか否かを判断する（ステップＳ５１）。
【０２３４】
次に、設定部２０６は、入力項目以外の他の音声入力情報が含まれていると判断した場合（ステップＳ５１においてＹＥＳ）には、他の音声入力情報は入力項目で有るか否かを判断する（ステップＳ５２）。
【０２３５】
ステップＳ５２において、設定部２０６は、他の音声入力情報は入力項目であると判断した場合（ステップＳ５２においてＹＥＳ）には、当該入力項目に対応する秘匿フラグが有るかいなかを判断する（ステップＳ５４）。
【０２３６】
ステップＳ５４において、設定部２０６は、入力項目に対応する秘匿フラグがあると判断した場合（ステップＳ５４においてＹＥＳ）には、マスキング信号出力部２０８にマスキング信号を出力するように指示する（ステップＳ５６）。これにより、マスキング信号出力部２０８は、スピーカ１０６を介してマスキング信号を出力する。
【０２３７】
そして、音声受付部１０１は、マイクを介してユーザからの音声入力を受け付けたか否かを判定する（ステップＳ５８）。
【０２３８】
ステップＳ５８において、音声受付部１０１がマイクを介してユーザからの音声入力を受け付けた場合（ステップＳ５８においてＹＥＳ）には、音声認識部２０２は、ユーザの音声入力された情報を認識して設定部２０６に出力する（ステップＳ６０）。
【０２３９】
一方、ステップＳ５８において、音声受付部１０１がマイクを介してユーザからの音声入力を受け付けない場合（ステップＳ５８においてＮＯ）には、ステップＳ５４に戻り上記処理を繰り返す。
【０２４０】
次に、設定部２０６は、音声認識部２０２から出力された情報を設定テーブル１００の対応する項目に設定（更新）する（ステップＳ６２）。
【０２４１】
そして、処理を終了する（リターン）。
一方、ステップＳ５１において、設定部２０６は、入力項目以外の他の音声入力情報が含まれていないと判断した場合（ステップＳ５１においてＮＯ）には、処理を終了する（リターン）。
【０２４２】
ステップＳ５２において、設定部２０６は、他の音声入力情報は入力項目で無いと判断した場合（ステップＳ５２においてＮＯ）には、処理を終了する（リターン）。
【０２４３】
ステップＳ５４において、設定部２０６は、入力項目に対応する秘匿フラグが無いと判断した場合（ステップＳ５４においてＮＯ）には、ステップＳ５６をスキップして、ステップＳ５８に進む。
【０２４４】
図２１で説明したように、ユーザが、ガイダンス情報に従って「暗号化ＰＤＦ。暗号キーは、」と発話した場合に、設定部２０６は、「暗号キー」は入力項目であると判断する。そして、設定部２０６は、「暗号キー」に対応する秘匿フラグに従って、マスキング信号出力部２０８にマスキング信号を出力するように指示する。したがって、ユーザの意図するタイミングで機密性の高い情報である「暗号キー」を発話した場合にもマスキング信号を出力することが可能であり、情報の漏洩を抑制することが可能である。
【０２４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２４６】
１  画像形成装置、１０  感光体、１１  帯電装置、１３  露光装置、１４  現像器、１５Ｃ，１５Ｋ，１５Ｍ，１５Ｙ  トナーボトル、１７，４３  クリーニングユニット、１８  トナーセンサ、２０  スキャナー、２１  カバー、２２  用紙台、２３，４９  トレー、２５  プリンター、９０Ｃ，９０Ｋ，９０Ｍ，９０Ｙ  画像形成部、１０１  制御装置、１０２  ＲＯＭ、１０３  ＲＡＭ、１０４  ネットワークインターフェイス、１０５  操作パネル、１０６  スピーカー、１０８  マイク、１１０  記憶装置、１１２  プログラム。
【図１】
2020187169.tif 000003
【図２】
2020187169.tif 000004
【図３】
2020187169.tif 000005
【図４】
2020187169.tif 000006
【図５】
2020187169.tif 000007
【図６】
2020187169.tif 000008
【図７】
2020187169.tif 000009
【図８】
2020187169.tif 000010
【図９】
2020187169.tif 000011
【図１０】
2020187169.tif 000012
【図１１】
2020187169.tif 000013
【図１２】
2020187169.tif 000014
【図１３】
2020187169.tif 000015
【図１４】
2020187169.tif 000016
【図１５】
2020187169.tif 000017
【図１６】
2020187169.tif 000018
【図１７】
2020187169.tif 000019
【図１８】
2020187169.tif 000020
【図１９】
2020187169.tif 000021
【図２０】
2020187169.tif 000022
【図２１】
2020187169.tif 000023
【図２２】
2020187169.tif 000024
【図２３】
2020187169.tif 000025